(57)【特許請求の範囲】
【請求項１】
ゲートに関する静的な情報であって、前記ゲートに自車両が接近する前に得られる静的情報を取得する静的情報取得部と、
前記ゲートに関する動的な情報であって、前記ゲートに前記自車両が接近したときに得られる動的情報を取得する動的情報取得部と、
前記静的情報取得部により取得された静的情報に基づいて、複数のゲートの中からゲートを選択し、選択したゲートに基づいて複数の本線のうちから前記自車両が走行する本線を決定し、決定した本線を前記自車両に走行させ、その後、前記動的情報取得部により取得された動的情報に基づいて、ゲートの選択結果を修正し、修正したゲートを通過するように車両の制御を行うゲート通過制御部と、
を備える車両制御システム。
【請求項２】
ゲートに関する静的な情報であって、前記ゲートに自車両が接近する前に得られる静的情報を取得する静的情報取得部と、
前記ゲートに関する動的な情報であって、前記ゲートに前記自車両が接近したときに得られる動的情報を取得する動的情報取得部と、
前記静的情報取得部により取得された静的情報に基づいて、複数のゲートの中からゲートを選択し、その後、前記動的情報取得部により取得された動的情報に基づいて、ゲートの選択結果を修正する選択部と、
前記選択部により選択されたゲートを通過するように車両の制御を行うゲート通過制御部と、を備え、
前記選択部は、自車両の位置からゲートまでの距離、前記ゲートに進入する場合に到達目標とする到達目標位置と前記到達目標位置の周辺に存在する他車両との距離、および前記他車両と前記自車両との相対速度に基づいて、前記ゲートの選択結果を修正する、
車両制御システム。
【請求項３】
前記ゲートに前記自車両が接近する前に得られる情報は、ゲート構造、前記自車両の行先、またはＥＴＣ車載機器を利用してゲートを通過することができるか否かを示す情報の少なくとも１つを含み、
前記ゲートに前記自車両が接近したときに得られる情報は、前記ゲートが利用可能な状態であるか否かを示す情報、または前記ゲートの混雑度合を示す情報の少なくとも１つを含む、
請求項１または２記載の車両制御システム。
【請求項４】
前記動的情報取得部は、前記動的情報を繰り返し取得し、
前記選択部は、前記ゲートの選択結果を繰り返し修正する、
請求項２に記載の車両制御システム。
【請求項５】
車載コンピュータが、
ゲートに関する静的な情報であって、前記ゲートに自車両が接近する前に得られる静的情報を取得し、
前記ゲートに関する動的な情報であって、前記ゲートに前記自車両が接近したときに得られる動的情報を取得し、
前記取得された静的情報に基づいて、複数のゲートの中からゲートを選択し、
選択したゲートに基づいて複数の本線のうちから前記自車両が走行する本線を決定し、決定した本線を前記自車両に走行させ、
その後、前記取得された動的情報に基づいて、ゲートの選択結果を修正し、修正したゲートを通過するように車両の制御を行う、
車両制御方法。
【請求項６】
車載コンピュータに、
ゲートに関する静的な情報であって、前記ゲートに自車両が接近する前に得られる静的情報を取得させ、
前記ゲートに関する動的な情報であって、前記ゲートに前記自車両が接近したときに得られる動的情報を取得させ、
前記取得された静的情報に基づいて、複数のゲートの中からゲートを選択させ、
選択されたゲートに基づいて複数の本線のうちから前記自車両が走行する本線を決定させ、決定させた本線を前記自車両に走行させ、
その後、前記取得された動的情報に基づいて、ゲートの選択結果を修正させ、修正したゲートを通過するように車両の制御を行わせる、
プログラム。
【発明の詳細な説明】
【技術分野】
【０００１】
本発明は、車両制御システム、車両制御方法、および車両制御プログラムに関する。
【背景技術】
【０００２】
従来、車両に搭載された車載カメラにより撮像された画像を処理し、料金所における稼動中のゲートを認識し、認識されたゲートの中から何れか１つのゲートを特定し、車両の現在位置から特定されたゲートまでの走行ルートを仮想的な走行車線の態様で設定し、設定された走行ルートを走行ルート表示部に表示させるナビゲーション装置が知られている（例えば、特許文献１参照）。
【先行技術文献】
【特許文献】
【０００３】
【特許文献１】特開２０１４−１１９３７２号公報
【発明の概要】
【発明が解決しようとする課題】
【０００４】
上記従来の技術では、車両の現在位置から最も近い稼働ゲートを特定することにより、最短の走行ルートを設定して案内するものとしているが、最短の走行ルートが最適な走行ルートであるとは限らない。【０００５】
本発明は、このような事情を考慮してなされたものであり、より好適なゲートを選択することができる車両制御システム、車両制御方法、および車両制御プログラムを提供することを目的の一つとする。
【課題を解決するための手段】
【０００６】
（１）：ゲートに関する静的な情報であって、前記ゲートに自車両が接近する前に得られる静的情報を取得する静的情報取得部と、前記ゲートに関する動的な情報であって、前記ゲートに前記自車両が接近したときに得られる動的情報を取得する動的情報取得部と、前記静的情報取得部により取得された静的情報に基づいて、複数のゲートの中からゲートを選択し、選択したゲートに基づいて複数の本線のうちから前記自車両が走行する本線を決定し、決定した本線を前記自車両に走行させ、その後、前記動的情報取得部により取得された動的情報に基づいて、ゲートの選択結果を修正し、修正したゲートを通過するように車両の制御を行うゲート通過制御部とを備える車両制御システムである。
【０００７】
（２）：ゲートに関する静的な情報であって、前記ゲートに自車両が接近する前に得られる静的情報を取得する静的情報取得部と、前記ゲートに関する動的な情報であって、前記ゲートに前記自車両が接近したときに得られる動的情報を取得する動的情報取得部と、前記静的情報取得部により取得された静的情報に基づいて、複数のゲートの中からゲートを選択し、その後、前記動的情報取得部により取得された動的情報に基づいて、ゲートの選択結果を修正する選択部と、前記選択部により選択されたゲートを通過するように車両の制御を行うゲート通過制御部と、を備え、前記選択部は、自車両の位置からゲートまでの距離、前記ゲートに進入する場合に到達目標とする到達目標位置と前記到達目標位置の周辺に存在する他車両との距離、および前記他車両と前記自車両との相対速度に基づいて、前記ゲートの選択結果を修正する車両制御システムである。
【０００８】
（３）：上記（１）または（２）の車両制御システムであって、前記ゲートに前記自車両が接近する前に得られる情報は、ゲート構造、前記自車両の行先、またはＥＴＣ車載機器を利用してゲートを通過することができるか否かを示す情報の少なくとも１つを含み、
前記ゲートに前記自車両が接近したときに得られる情報は、前記ゲートが利用可能な状態であるか否かを示す情報、または前記ゲートの混雑度合を示す情報の少なくとも１つを含む。
【０００９】
（４）：上記（２）の車両制御システムであって、前記動的情報取得部は、前記動的情報を繰り返し取得し、前記選択部は、前記ゲートの選択結果を繰り返し修正する。
【００１０】
（５）：車載コンピュータが、ゲートに関する静的な情報であって、前記ゲートに自車両が接近する前に得られる静的情報を取得し、前記ゲートに関する動的な情報であって、前記ゲートに前記自車両が接近したときに得られる動的情報を取得し、前記取得された静的情報に基づいて、複数のゲートの中からゲートを選択し、選択したゲートに基づいて複数の本線のうちから前記自車両が走行する本線を決定し、決定した本線を前記自車両に走行させ、その後、前記取得された動的情報に基づいて、ゲートの選択結果を修正し、修正したゲートを通過するように車両の制御を行う車両制御方法である。
【００１１】
（６）：車載コンピュータに、ゲートに関する静的な情報であって、前記ゲートに自車両が接近する前に得られる静的情報を取得させ、前記ゲートに関する動的な情報であって、前記ゲートに前記自車両が接近したときに得られる動的情報を取得させ、前記取得された静的情報に基づいて、複数のゲートの中からゲートを選択させ、選択されたゲートに基づいて複数の本線のうちから前記自車両が走行する本線を決定させ、決定させた本線を前記自車両に走行させ、その後、前記取得された動的情報に基づいて、ゲートの選択結果を修正させ、修正したゲートを通過するように車両の制御を行わせるプログラムである。
【発明の効果】
【００１４】
上記（１）−（６）によれば、車両制御システムは、静的な情報に基づいて選択されたゲートを、動的な情報に基づいて修正することにより、好適なゲートを選択することができる。
【００１５】
上記（２）によれば、選択部が、自車両の位置からゲートまでの距離、ゲートに進入する場合に到達目標とする到達目標位置と前記到達目標位置の周辺に存在する他車両との距離、および他車両と自車両との相対速度に基づいて、ゲートを選択することにより、実際に自車両が通過することができるゲートを選択することができる。
【００１６】
上記（４）によれば、車両制御システムは、動的な情報に基づいてゲートの選択結果を繰り返し修正することにより、自車両の周辺の状況が変化した場合であっても、好適なゲートを選択することができる。
【図面の簡単な説明】
【００１７】
【図１】自動運転制御ユニット１００を含む車両システム１の構成図である。
【図２】自車位置認識部１２２により走行車線Ｌ１に対する自車両Ｍの相対位置および姿勢が認識される様子を示す図である。
【図３】推奨車線に基づいて目標軌道が生成される様子を示す図である。
【図４】ゲート通過制御部１２３Ａの機能構成図である。
【図５】静的情報および動的情報について説明するための図である。
【図６】ゲート通過制御部１２３Ａにより実行される処理の流れを示すフローチャートである。
【図７】料金所を通過する際の自車両Ｍの挙動の一例を示す図である。
【図８】静的スコアの一例を示す図である。
【図９】動的スコアの一例を示す図である。
【図１０】選択されたゲートが修正される場面の一例を示す図である。
【図１１】時刻ｔ＋２においけるスコアの一例を示す図である。
【発明を実施するための形態】
【００１８】
以下、図面を参照し、本発明の車両制御システム、車両制御方法、および車両制御プログラムの実施形態について説明する。
【００１９】
［全体構成］
図１は、自動運転制御ユニット１００を含む車両システム１の構成図である。車両システム１が搭載される車両は、例えば、二輪や三輪、四輪等の車両であり、その駆動源は、ディーゼルエンジンやガソリンエンジンなどの内燃機関、電動機、或いはこれらの組み合わせである。電動機は、内燃機関に連結された発電機による発電電力、或いは二次電池や燃料電池の放電電力を使用して動作する。
【００２０】
車両システム１は、例えば、カメラ１０と、レーダ装置１２と、ファインダ１４と、物体認識装置１６と、通信装置２０と、ＨＭＩ（Human Machine Interface）３０と、ＥＴＣ（Electronic Toll Collection system）車載器４０と、ナビゲーション装置５０と、ＭＰＵ（Micro-Processing Unit）６０と、車両センサ７０と、運転操作子８０と、車室内カメラ９０と、自動運転制御ユニット１００と、走行駆動力出力装置２００と、ブレーキ装置２１０と、ステアリング装置２２０とを備える。これらの装置や機器は、ＣＡＮ（Controller Area Network）通信線等の多重通信線やシリアル通信線、無線通信網等によって互いに接続される。なお、図１に示す構成はあくまで一例であり、構成の一部が省略されてもよいし、更に別の構成が追加されてもよい。
【００２１】
カメラ１０は、例えば、ＣＣＤ（Charge Coupled Device）やＣＭＯＳ（Complementary Metal Oxide Semiconductor）等の固体撮像素子を利用したデジタルカメラである。カメラ１０は、車両システム１が搭載される車両（以下、自車両Ｍと称する）の任意の箇所に一つまたは複数が取り付けられる。前方を撮像する場合、カメラ１０は、フロントウインドシールド上部やルームミラー裏面等に取り付けられる。カメラ１０は、例えば、周期的に繰り返し自車両Ｍの周辺を撮像する。カメラ１０は、ステレオカメラであってもよい。
【００２２】
レーダ装置１２は、自車両Ｍの周辺にミリ波などの電波を放射すると共に、物体によって反射された電波（反射波）を検出して少なくとも物体の位置（距離および方位）を検出する。レーダ装置１２は、自車両Ｍの任意の箇所に一つまたは複数が取り付けられる。レーダ装置１２は、ＦＭ−ＣＷ（Frequency Modulated Continuous Wave）方式によって物体の位置および速度を検出してもよい。
【００２３】
ファインダ１４は、照射光に対する散乱光を測定し、対象までの距離を検出するＬＩＤＡＲ（Light Detection and Ranging、或いはLaser Imaging Detection and Ranging）である。ファインダ１４は、自車両Ｍの任意の箇所に一つまたは複数が取り付けられる。
【００２４】
物体認識装置１６は、カメラ１０、レーダ装置１２、およびファインダ１４のうち一部または全部による検出結果に対してセンサフュージョン処理を行って、物体の位置、種類、速度などを認識する。物体認識装置１６は、認識結果を自動運転制御ユニット１００に出力する。
【００２５】
通信装置２０は、例えば、セルラー網やＷｉ−Ｆｉ網、Ｂｌｕｅｔｏｏｔｈ（登録商標）、ＤＳＲＣ（Dedicated Short Range Communication）などを利用して、自車両Ｍの周辺に存在する他車両と通信し、或いは無線基地局を介して各種サーバ装置と通信する。
【００２６】
ＨＭＩ３０は、自車両Ｍの乗員に対して各種情報を提示すると共に、乗員による入力操作を受け付ける。ＨＭＩ３０は、各種表示装置、スピーカ、ブザー、タッチパネル、スイッチ、キーなどを含む。
【００２７】
ＥＴＣ車載器４０は、ＥＴＣ路側器と通信することで入口料金所や出口料金所などの情報を交換する。ＥＴＣ車載器４０は、ＥＴＣカードが装着される装着部と、装着部にＥＴＣカードが装着されているか否かを検出する検出部と、有料道路のゲートに設けられたＥＴＣ路側器と通信する無線通信部と、通知部と、ＥＴＣ制御部とを備える。ＥＴＣカードは、自車両Ｍが有料道路を通過するための認証情報（ＡＩ（authentication information））が格納された媒体である。無線通信部は、通信装置２０と共通化されてもよい。
【００２８】
装着部は、ＥＴＣカードを装着および抜き取りが可能である挿抜機構を備える。装着部において、ＥＴＣカードが装着された状態またはＥＴＣカードが抜き取られた状態のいずれであるかが、検出部により検出される。検出部は、検出結果を、ＥＴＣ制御部の制御に基づいて、自動運転制御ユニット１００に出力する。なお、検出部は、ＥＴＣカードの有効期限などに基づくＥＴＣカードの有効または無効を検出する機能部を備えていて良い。この場合、検出部は、ＥＴＣカードが有効である場合、ＥＴＣカードが装着されている状態であると判定し、ＥＴＣカードが無効である場合、ＥＴＣカードが装着されていない状態であると判定してもよい。
【００２９】
無線通信部は、ＥＴＣ制御部の制御に基づいて、ＥＴＣカードに格納された認証情報をＥＴＣ路側器に送信する。無線通信部は、ＥＴＣ路側器から受信した認証結果に基づいて、ＥＴＣ路側器が設けられたゲート通過の可否、入口料金所や出口料金所などの情報を取得する。ＥＴＣ路側器は、ＥＴＣ車載器から受信した情報を元に自車両Ｍの乗員に対する課金額を決定し、請求処理を進める。
【００３０】
通知部は、音声を出力するスピーカや、インジケータなどである。通知部は、ＥＴＣカードの装着状態、無線通信部により取得した認証結果を乗員に通知する。
【００３１】
ナビゲーション装置５０は、例えば、ＧＮＳＳ（Global Navigation Satellite System）受信機５１と、ナビＨＭＩ５２と、経路決定部５３とを備え、ＨＤＤ（Hard Disk Drive）やフラッシュメモリなどの記憶装置に第１地図情報５４を保持している。ＧＮＳＳ受信機は、ＧＮＳＳ衛星から受信した信号に基づいて、自車両Ｍの位置を特定する。自車両Ｍの位置は、車両センサ７０の出力を利用したＩＮＳ（Inertial Navigation System）によって特定または補完されてもよい。ナビＨＭＩ５２は、表示装置、スピーカ、タッチパネル、キーなどを含む。ナビＨＭＩ５２は、前述したＨＭＩ３０と一部または全部が共通化されてもよい。経路決定部５３は、例えば、ＧＮＳＳ受信機５１により特定された自車両Ｍの位置（或いは入力された任意の位置）から、ナビＨＭＩ５２を用いて乗員により入力された目的地までの経路を、第１地図情報５４を参照して決定する。第１地図情報５４は、例えば、道路を示すリンクと、リンクによって接続されたノードとによって道路形状が表現された情報である。第１地図情報５４は、道路の曲率やＰＯＩ（Point Of Interest）情報などを含んでもよい。経路決定部５３により決定された経路は、ＭＰＵ６０に出力される。また、ナビゲーション装置５０は、経路決定部５３により決定された経路に基づいて、ナビＨＭＩ５２を用いた経路案内を行ってもよい。なお、ナビゲーション装置５０は、例えば、ユーザの保有するスマートフォンやタブレット端末等の端末装置の機能によって実現されてもよい。また、ナビゲーション装置５０は、通信装置２０を介してナビゲーションサーバに現在位置と目的地を送信し、ナビゲーションサーバから返信された経路を取得してもよい。
【００３２】
ＭＰＵ６０は、例えば、推奨車線決定部６１として機能し、ＨＤＤやフラッシュメモリなどの記憶装置に第２地図情報６２を保持している。推奨車線決定部６１は、ナビゲーション装置５０から提供された経路を複数のブロックに分割し（例えば、車両進行方向に関して１００［ｍ］毎に分割し）、第２地図情報６２を参照してブロックごとに目標車線を決定する。推奨車線決定部６１は、左から何番目の車線を走行するといった決定を行う。推奨車線決定部６１は、経路において分岐箇所や合流箇所などが存在する場合、自車両Ｍが、分岐先に進行するための合理的な経路を走行できるように、推奨車線を決定する。
【００３３】
第２地図情報６２は、第１地図情報５４よりも高精度な地図情報である。第２地図情報６２は、例えば、車線の中央の情報あるいは車線の境界の情報等を含んでいる。また、第２地図情報６２には、道路情報、交通規制情報、住所情報（住所・郵便番号）、施設情報、電話番号情報などが含まれてよい。道路情報には、高速道路、有料道路、国道、都道府県道といった道路の種別を表す情報や、道路の車線数、各車線の幅員、道路の勾配、道路の位置（経度、緯度、高さを含む３次元座標）、車線のカーブの曲率、車線の合流および分岐ポイントの位置、道路に設けられた標識等の情報が含まれる。第２地図情報６２は、通信装置２０を用いて他装置にアクセスすることにより、随時、アップデートされてよい。
【００３４】
また、第２地図情報６２には、入口料金所や出口料金所などのゲート構造を示す情報が記憶されている。ゲート構造を示す情報は、例えば、料金所に設けられたゲートの数や、ゲートの位置を示す情報、ゲートの種別を示す情報（ＥＴＣ専用ゲート、一般ゲートなどの情報）である。
【００３５】
車両センサ７０は、自車両Ｍの速度を検出する車速センサ、加速度を検出する加速度センサ、鉛直軸回りの角速度を検出するヨーレートセンサ、自車両Ｍの向きを検出する方位センサ等を含む。
【００３６】
運転操作子８０は、例えば、アクセルペダル、ブレーキペダル、シフトレバー、ステアリングホイールその他の操作子を含む。運転操作子８０には、操作量あるいは操作の有無を検出するセンサが取り付けられており、その検出結果は、自動運転制御ユニット１００、もしくは、走行駆動力出力装置２００、ブレーキ装置２１０、およびステアリング装置２２０のうち一方または双方に出力される。
【００３７】
車室内カメラ９０は、運転席に着座した乗員の顔を中心として上半身を撮像する。車室内カメラ９０の撮像画像は、自動運転制御ユニット１００に出力される。
【００３８】
自動運転制御ユニット１００は、例えば、第１制御部１２０と、第２制御部１４０とを備える。第１制御部１２０と第２制御部１４０は、それぞれ、ＣＰＵ（Central Processing Unit）などのプロセッサがプログラム（ソフトウェア）を実行することで実現される。また、各機能部のうち一部または全部は、ＬＳＩ（Large Scale Integration）やＡＳＩＣ（Application Specific Integrated Circuit）、ＦＰＧＡ（Field-Programmable Gate Array）などのハードウェアによって実現されてもよいし、ソフトウェアとハードウェアの協働によって実現されてもよい。
【００３９】
第１制御部１２０は、例えば、外界認識部１２１と、自車位置認識部１２２と、行動計画生成部１２３とを備える。
【００４０】
外界認識部１２１は、カメラ１０、レーダ装置１２、およびファインダ１４から物体認識装置１６を介して入力される情報に基づいて、周辺車両の位置、および速度、加速度等の状態を認識する。周辺車両の位置は、その周辺車両の重心やコーナー等の代表点で表されてもよいし、周辺車両の輪郭で表現された領域で表されてもよい。周辺車両の「状態」とは、周辺車両の加速度やジャーク、あるいは「行動状態」（例えば車線変更をしている、またはしようとしているか否か）を含んでもよい。また、外界認識部１２１は、周辺車両に加えて、ガードレールや電柱、駐車車両、歩行者その他の物体の位置を認識してもよい。
【００４１】
自車位置認識部１２２は、例えば、自車両Ｍが走行している車線（走行車線）、並びに走行車線に対する自車両Ｍの相対位置および姿勢を認識する。自車位置認識部１２２は、例えば、第２地図情報６２から得られる道路区画線のパターン（例えば実線と破線の配列）と、カメラ１０によって撮像された画像から認識される自車両Ｍの周辺の道路区画線のパターンとを比較することで、走行車線を認識する。この認識において、ナビゲーション装置５０から取得される自車両Ｍの位置やＩＮＳによる処理結果が加味されてもよい。
【００４２】
そして、自車位置認識部１２２は、例えば、走行車線に対する自車両Ｍの位置や姿勢を認識する。図２は、自車位置認識部１２２により走行車線Ｌ１に対する自車両Ｍの相対位置および姿勢が認識される様子を示す図である。自車位置認識部１２２は、例えば、自車両Ｍの基準点（例えば重心）の走行車線中央ＣＬからの乖離ＯＳ、および自車両Ｍの進行方向の走行車線中央ＣＬを連ねた線に対してなす角度θを、走行車線Ｌ１に対する自車両Ｍの相対位置および姿勢として認識する。なお、これに代えて、自車位置認識部１２２は、自車線Ｌ１のいずれかの側端部に対する自車両Ｍの基準点の位置などを、走行車線に対する自車両Ｍの相対位置として認識してもよい。自車位置認識部１２２により認識される自車両Ｍの相対位置は、推奨車線決定部６１および行動計画生成部１２３に提供される。
【００４３】
行動計画生成部１２３は、推奨車線決定部６１により決定された推奨車線を走行するように、且つ、自車両Ｍの周辺状況に対応できるように、自動運転において順次実行されるイベントを決定する。イベントには、例えば、一定速度で同じ走行車線を走行する定速走行イベント、前走車両に追従する追従走行イベント、車線変更イベント、合流イベント、分岐イベント、緊急停止イベント、自動運転を終了して手動運転に切り替えるためのハンドオーバイベント、料金所を通過するときに実行される料金所イベント（後述）などがある。また、これらのイベントの実行中に、自車両Ｍの周辺状況（周辺車両や歩行者の存在、道路工事による車線狭窄など）に基づいて、回避のための行動が計画される場合もある。
【００４４】
行動計画生成部１２３は、自車両Ｍが将来走行する目標軌道を生成する。目標軌道は、例えば、速度要素を含んでいる。例えば、目標軌道は、所定のサンプリング時間（例えば０コンマ数［ｓｅｃ］程度）ごとに将来の基準時刻を複数設定し、それらの基準時刻に到達すべき目標地点（軌道点）の集合として生成される。このため、軌道点同士の間隔が広い場合、その軌道点の間の区間を高速に走行することを示している。
【００４５】
図３は、推奨車線に基づいて目標軌道が生成される様子を示す図である。図示するように、推奨車線は、目的地までの経路に沿って走行するのに都合が良いように設定される。行動計画生成部１２３は、推奨車線の切り替わり地点の所定距離手前（イベントの種類に応じて決定されてよい）に差し掛かると、車線変更イベント、分岐イベント、合流イベントなどを起動する。各イベントの実行中に、障害物を回避する必要が生じた場合には、図示するように回避軌道が生成される。
【００４６】
行動計画生成部１２３は、例えば、目標軌道の候補を複数生成し、安全性と効率性の観点に基づいて、その時点での最適な目標軌道を選択する。
【００４７】
また、行動計画生成部１２３は、サブ機能としてゲート通過制御部１２３Ａを含む。ゲート通過制御部１２３Ａの詳細については後述する。
【００４８】
第２制御部１４０は、走行制御部１４１を備える。走行制御部１４１は、行動計画生成部１２３によって生成された目標軌道を、予定の時刻通りに自車両Ｍが通過するように、走行駆動力出力装置２００、ブレーキ装置２１０、およびステアリング装置２２０を制御する。
【００４９】
走行駆動力出力装置２００は、車両が走行するための走行駆動力（トルク）を駆動輪に出力する。走行駆動力出力装置２００は、例えば、内燃機関、電動機、および変速機などの組み合わせと、これらを制御するＥＣＵとを備える。ＥＣＵは、走行制御部１４１から入力される情報、或いは運転操作子８０から入力される情報に従って、上記の構成を制御する。
【００５０】
ブレーキ装置２１０は、例えば、ブレーキキャリパーと、ブレーキキャリパーに油圧を伝達するシリンダと、シリンダに油圧を発生させる電動モータと、ブレーキＥＣＵとを備える。ブレーキＥＣＵは、走行制御部１４１から入力される情報、或いは運転操作子８０から入力される情報に従って電動モータを制御し、制動操作に応じたブレーキトルクが各車輪に出力されるようにする。ブレーキ装置２１０は、運転操作子８０に含まれるブレーキペダルの操作によって発生させた油圧を、マスターシリンダを介してシリンダに伝達する機構をバックアップとして備えてよい。なお、ブレーキ装置２１０は、上記説明した構成に限らず、走行制御部１４１から入力される情報に従ってアクチュエータを制御して、マスターシリンダの油圧をシリンダに伝達する電子制御式油圧ブレーキ装置であってもよい。
【００５１】
ステアリング装置２２０は、例えば、ステアリングＥＣＵと、電動モータとを備える。電動モータは、例えば、ラックアンドピニオン機構に力を作用させて転舵輪の向きを変更する。ステアリングＥＣＵは、走行制御部１４１から入力される情報、或いは運転操作子８０から入力される情報に従って、電動モータを駆動し、転舵輪の向きを変更させる。
【００５２】
［ゲート通過制御部の詳細］
ゲート通過制御部１２３Ａは、通過するゲートを選択し、選択したゲートを通過するように車両の制御を行う。図４は、ゲート通過制御部１２３Ａの機能構成図である。ゲート通過制御部１２３Ａは、静的情報取得部１２３ａと、動的情報取得部１２３ｂと、ゲート選択部１２３ｃと、選択結果修正部１２３ｄとを含む。ゲート通過制御部１２３Ａの機能の一部は、ＭＰＵ６０により実行されてもよい。例えば、静的情報取得部１２３ａおよびゲート選択部１２３ｃは、ＭＰＵ６０に含まれてもよい。
【００５３】
静的情報取得部１２３ａは、ゲートに関する静的な情報である静的情報を取得する。動的情報取得部１２３ｂは、ゲートに関する動的な情報である動的情報を取得する。図５は、静的情報および動的情報について説明するための図である。静的情報は、ゲートに自車両Ｍが接近する前に得られる情報であり、動的情報は、ゲートに自車両Ｍが接近したときに得られる情報である。静的情報は、例えば、ナビゲーション装置５０から得られる自車両Ｍの目的地（行先）や経路に関する情報、ＥＴＣ車載器４０から得られるＥＴＣ車載器の利用の可否を示す情報、高精度地図情報６２から得られるゲート構造を示す情報（ゲートの位置、数、ゲートの種別）などを含む。
【００５４】
動的情報は、例えば、カメラ１０より撮像された画像の解析結果に基づいて取得された、ゲートの有効または無効を示す情報、ゲートの周辺車両の位置や速度を示す情報、ゲートの混雑度合を示す情報、自車位置認識部１２２により認識された自車両Ｍの位置情報などを含む。この自車両Ｍの位置情報は、自車両Ｍの位置からゲートまたはゲート付近の路面標示までの距離を導出するための情報である。
【００５５】
また、ゲートの有効または無効を示す情報、ゲートの周辺車両の位置や速度を示す情報、ゲートの混雑度合を示す情報は、通信装置２０を介して取得されてもよい。通信装置２０は、例えば、ゲート付近に設けられた路側通信装置からゲートの有効または無効を示す情報またはゲートの周辺車両の位置や速度を示す情報を取得する。路側通信装置は、ゲートの手前の領域を撮像するカメラにより撮像された画像を通信装置２０に送信する。また、通信装置２０は、無線通信を用いてネットワークに接続されたサーバ装置等から、ゲートの有効または無効を示す情報や、ゲートの周辺車両の位置や速度を示す情報、ゲートの混雑度合を示す情報等を取得してもよい。
【００５６】
なお、ゲートに自車両Ｍが接近する前に通信装置２０により取得された情報は、静的情報として分類され、ゲートに自車両Ｍが近づいたときに通信装置２０により取得された情報は動的情報として分類される。また、例えばゲートの種別を示す情報や、ゲートの有効または無効を示す情報、ゲートの周辺車両の位置や速度を示す情報、ゲート前の混雑度合等が、ゲートに自車両Ｍが接近する前に取得される情報である場合は静的情報として分類され、ゲートに自車両Ｍが近づいたときに取得される情報は動的情報として分類される。
【００５７】
ゲート選択部１２３ｃは、静的情報取得部１２３ｂにより取得された静的情報に基づいて、複数のゲートの中からゲートを選択する。
【００５８】
選択結果修正部１２３ｄは、動的情報取得部１２３ｂにより取得された動的情報に基づいて、ゲート選択部１２３ｃにより選択された選択結果を修正する。選択結果修正部１２３ｄは、例えば、動的情報に基づいて、ゲート選択部１２３ｃにより選択されたゲートを、より好適となるゲートに変更する。好適となるゲートとは、自車両Ｍがより滑らかに走行しながら通過することができるゲートや、混雑度合が他のゲートに比して低いゲートである。ゲート通過制御部１２３Ａは、選択結果修正部１２３ｄにより選択されたゲートを通過するように自車両Ｍの制御を行う。
【００５９】
図６は、ゲート通過制御部１２３Ａにより実行される処理の流れを示すフローチャートである。具体的な自車両Ｍの挙動については図７を参照して説明する。
【００６０】
まず、ゲート通過制御部１２３Ａが、料金所イベントが起動するタイミングが到来したか否かを判定する（ステップＳ１００）。料金所イベントが起動するタイミングが到来すると、静的情報取得部１２３ａが、静的情報を取得する（ステップＳ１０２）。次に、ゲート選択部１２３ｃは、ステップＳ１０２で取得された静的情報に基づいて、通過する予定のゲートを選択する（ステップＳ１０４）。なお、ゲート選択部１２３ｃは、自車両Ｍの目的地に基づいて走行する車線を決定し、決定した車線を加味して通過するゲートを選択してもよい。次に、動的情報取得部１２３ｂは、動的情報が取得することができるまで待機する（ステップＳ１０６）。
【００６１】
動的情報が取得されると、選択結果修正部１２３ｄが、ステップＳ１０６で取得された動的情報に基づいて、ステップＳ１０４の選択結果を修正する必要があるか否かを判定する（ステップＳ１０８）。選択結果を修正する必要がある場合、選択結果修正部１２３ｄが、ステップＳ１０６で取得した動的情報に基づいて、選択結果を修正し（ステップＳ１１０）、ステップＳ１１２の処理に進む。選択結果を修正する必要がない場合、ゲート通過制御部１２３Ａが、自車両Ｍがゲートに到達したか否かを判定する（ステップＳ１１２）。ゲートに到達していない場合、ステップＳ１０６の処理に戻り、ゲートに到達した場合、本フローチャートの処理は終了する。
【００６２】
図７は、料金所を通過する際の自車両Ｍの挙動の一例を示す図である。図中の料金所において、ゲート（１）から（６）が設けられており、ゲート（１）、（３）、（４）および（６）はＥＴＣ専用ゲートであり、ゲート（２）および（４）は一般ゲートであるものとする。また、ゲート通過後において、道路は、Ａ方面に向かう道路と、Ｂ方面に向かう道路とに分岐しているものとする。
【００６３】
時刻ｔにおいて、自車両Ｍにおいて設定されている目的地はＡ方面にあるため、ナビゲーション装置５０によってＡ方面に向かう経路が設定されているものとする。また、自車両Ｍは、ＥＴＣ車載器４０を利用してゲートを通過する予定であり、ゲートの手前の本線Ｌ２を走行しているものとする。
【００６４】
時刻ｔにおいて、自車両Ｍが、ゲートから第１所定距離手前に到達すると、ゲート通過制御部１２３Ａは、料金所イベントを起動させ、静的情報取得部１２３ａが、静的情報を取得する。この場合、ゲート選択部１２３ｃは、静的情報に基づいて、静的スコアをゲートに対して付与する。
【００６５】
図８は、静的スコアの一例を示す図である。横軸はゲートの識別情報を示し、縦軸はスコアを示している。ゲート選択部１２３ｃは、例えば、目的地へ進行しやすいという観点で静的スコアを各ゲートに付与する。ゲート選択部１２３ｃは、ゲート（３）に対して付与するスコアを最も高くし、ゲート（１）に対して付与するスコアを次に高くする。ゲート（３）を通過することにより、自車両Ｍの現在地から自車両ＭがＡ方面に向かう場合において、通過する経路が最も短くなり、且つ車両の挙動の変化が小さくなるためである。なお、静的スコアは、これに限らず、目的地に進行しやすいという観点で算出され、その算出方法の詳細については種々の手法が採用されてよい。ゲート選択部１２３ｃは、ゲートに対して付与したスコアに基づいて、Ａ方面に向かうのに最も効率的なゲート（３）を、通過する予定のゲートとして選択する。そして、ゲート通過制御部１２３Ａは、車線Ｌ２からゲート（３）を通過しやすい車線Ｌ１に自車両Ｍを車線変更させる。
【００６６】
時刻ｔ＋１において、自車両Ｍが、ゲートから（第１所定距離より短い）第２所定距離手前に到達すると、動的情報取得部１２３ｂは、動的情報として、ゲートの有効または無効を示す情報や、ゲートに向かって車列を形成している車両の状態、ゲートに向かって走行している車両の状態、ゲートの種別等を取得する。ここでゲートの種別は、静的情報として取得することができる場合があるが、ゲートの種別は時間帯や交通状況により変更されることがあるため、ゲートの種別は静的情報として取得されると共に、動的情報としても取得されてよい。
【００６７】
ゲート選択部１２３ｃは、動的情報に基づいて、静的スコアに対して動的スコアを加算して統合スコアをゲートに対して付与する。図９は、動的スコアの一例を示す図である。横軸はゲートの識別情報を示し、縦軸はスコアを示している。選択結果修正部１２３ｄは、例えば、混雑度が低い、ゲートに到達するまでに時間が短い、仮想的な車線変更の回数が少ないなどといった観点で動的スコアを各ゲートに付与する。選択結果修正部１２３ｄは、ゲート（１）に対して付与するスコアを最も高くし、ゲート（３）に対して付与するスコアを次に高くする。ゲート（３）には複数の車両が並んでおり、ゲート（１）には車両が並んでいないことから、ゲート（１）を通過すると円滑にゲートを通過することができるためである。そして、選択結果修正部１２３ｄは、ゲートに対して付与したスコアに基づいて、自車両Ｍが通過する予定のゲートを、ゲート（３）からゲート（１）に修正する。なお、選択結果修正部１２３ｄは、ゲートに向かって車列が形成されているときにゲートに対してスコアを付与する場合、車列に含まれる車両の移動速度が速い車列に対応するゲートに高いスコアを付与してもよい。
【００６８】
また、選択結果修正部１２３ｄは、例えば、更に自車両Ｍからゲート（１）までの距離や、ゲート（１）を通過する場合に走行する経路（到達目標位置）と走行する経路の周辺に存在する（または存在することとなると推定される）周辺車両との距離、上記の周辺車両と自車両Ｍとの相対速度等を加味して、通過するゲートを選択（修正）してもよい。例えば、選択結果修正部１２３ｄは、ゲート（１）までの距離が十分あり、ゲート（１）を通過する場合に走行する経路を自車両Ｍが走行した場合に、自車両Ｍと周辺車両との距離が所定距離以上となるとき、ゲート（１）を通過することができると判定し、スコアが最も高いゲート（１）を通過するゲートとして選択する。そして、ゲート通過制御部１２３Ａは、そのゲートまでの目標軌道を生成し、その目標軌道が不適切でなければ、ゲート（１）を通過する。
【００６９】
一方、選択結果修正部１２３ｄは、自車両Ｍからゲート（１）までの距離が近い場合や、ゲート（１）を通過する場合に走行する経路から所定距離以内に周辺車両が存在する場合は、ゲート（１）は通過するゲートとしては不適切であると判定し、通過するゲートからゲート（１）を除外する。この場合、ゲート通過制御部１２３Ａは、ゲート（１）とは異なるゲート（例えばゲート（１）の次にスコアが高いゲート）を選択する。
【００７０】
そして、ゲート通過制御部１２３Ａは、そのゲートまでの目標軌道を生成し、その目標軌道が不適切でなければ（例えば操舵角が許容範囲を超えなければ）目標軌道を走行するように自車両Ｍを制御する。
【００７１】
また、選択結果修正部１２３ｄは、上記の処理を繰り返し、動的情報に基づいて、選択結果を修正してゲートを選択する。図１０は、選択されたゲートが修正される場面の一例を示す図である。例えば、時刻ｔ＋２において（時刻ｔ＋１の自車両Ｍについては図７参照）、ゲート（３）に向かっていた他車両ｍ１が、ゲート（１）に向かうように進行方向を変更した場合、選択結果修正部１２３ｄは、ゲート（１）に対して付与するスコアを時刻ｔ＋１で付与したスコアに比して低く付与し、ゲート（３）に対して付与したスコアを時刻ｔ＋１で付与したスコアに比して高く付与する。ゲート（１）には他車両ｍ１が並んだことによりゲート（１）の車列が長くなり、ゲート（３）の車列が短くなったためである。図１１は、時刻ｔ＋２においけるスコアの一例を示す図である。
【００７２】
そして、ゲート通過制御部１２３Ａは、スコアが高くなったゲート（３）に進入するための目標軌道を生成する。例えば、ゲート通過制御部１２３Ａは、目標軌道に沿って自車両Ｍをターゲット領域ＴＡ（図１０参照）に移動させる。
【００７３】
この場合、例えば、ゲート通過制御部１２３Ａは、ターゲット領域ＴＡの後方からターゲット領域ＴＡに進入しようとしている他車両ｍ２の前端とターゲット領域ＴＡの後端との距離、自車両Ｍの後端と他車両ｍ２の前端との距離、および自車両Ｍとゲート（３）（またはターゲット領域ＴＡの直前の他車両）との距離に基づいて、安全性と効率性の観点を加味して、ゲート（３）を通過することが適切であるか否かを判定する。ゲート（３）を通過することが適切であると判定した場合は、ゲート通過制御部１２３Ａは、自車両Ｍをターゲット領域ＴＡに進行させてゲート（３）を通過させる制御を行う。一方、ゲート（３）を通過することが適切でないと判定した場合は、ゲート通過制御部１２３Ａは、例えば、ゲート（３）の次にスコアが高いゲート（１）を通過させるように自車両Ｍを制御する。
【００７４】
以上説明した実施形態によれば、ゲート選択部１２３ｃが、静的情報取得部１２３ａにより取得された静的情報に基づいて、複数のゲートの中からゲートを選択し、その後、選択結果修正部１２３ｄが、動的情報取得部１２３ｂにより取得された動的情報に基づいて、ゲート選択部１２３ｃの選択結果を修正することにより、好適なゲートを選択することができる。
【００７５】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００７６】
１‥車両システム、１０‥カメラ、１６‥物体認識装置、２０‥通信装置、９０…車室内カメラ、１００‥自動運転制御ユニット、１２０‥第１制御部、１２１‥外界認識部、１２２‥自車位置認識部、１２３‥行動計画生成部、１２３Ａ…ゲート通過制御部、１２３ａ‥静的情報取得部、１２３ｂ‥動的情報取得部、１２３ｃ‥ゲート選択部、１２３ｄ‥選択結果修正部、１４０…第２制御部、１４１‥走行制御部
【図１】
0006696006.tif 000002
【図２】
0006696006.tif 000003
【図３】
0006696006.tif 000004
【図４】
0006696006.tif 000005
【図５】
0006696006.tif 000006
【図６】
0006696006.tif 000007
【図７】
0006696006.tif 000008
【図８】
0006696006.tif 000009
【図９】
0006696006.tif 000010
【図１０】
0006696006.tif 000011
【図１１】
0006696006.tif 000012